(57)【要約】【課題】乾燥時の湿った空気の逆流を防止しつつも弁体が弁保持器に固着することを防止するとともに、洗濯行程時や脱水行程時に機外への音漏れを抑制でき、さらに弁体自体の寿命も長くすることができるドラム式洗濯乾燥機を実現する。【解決手段】外槽３内部と洗剤ケース１４とを連通する連結管１９に備えた弁体２２は、弁保持器２４の内端面２５側に常に閉じる方向に付勢されてその上端を係止され、弁保持器２４は、上部平面部２５ａと下部平面部２５ｂとを有し、弁体２２と密着する上部平面部２５ａの上端は下端よりも洗剤ケース１４側に位置させるとともに、下部平面部２５ｂは下端を上端よりも洗剤ケース１４側に位置させ、上部平面部２５ａから下部平面部２５ｂへ向かってなだらかに連続する面とすることによって、弁体２２と弁保持器２４の下部平面部２５ｂとの間に隙間２７を形成するように構成した。【選択図】図３
2010188033.tif 000002
【特許請求の範囲】
【請求項１】
略水平方向に回転軸を有する回転ドラムと、この回転ドラムを内包した外槽と、前記回転ドラムを回転させるモータと、回転ドラム内の洗濯物を加熱乾燥する加熱装置と、洗剤を投入する洗剤ケースと、前記外槽の内部と前記洗剤ケースとを連通する連結管と、前記連結管には前記洗剤ケースから前記外槽方向へは開き、逆方向へは閉じる弾性体により形成された弁体と前記弁体を保持する略筒状の弁保持器とを備え、前記弁体は、前記弁保持器の内端面側に常に閉じる方向に付勢されてその上端を係止され、前記弁保持器は、前記内端面の上部に前記弁体と密着する上部平面部を有し、この上部平面部の上端は下端よりも前記洗剤ケース側に位置させるとともに、前記内端面の下部に下部平面部を有し、この下部平面部は下端を上端よりも前記洗剤ケース側に位置させ、前記上部平面部から前記下部平面部へ向かってなだらかに連続する面とすることによって、前記弁体と前記弁保持器の前記下部平面部との間に隙間を形成するように構成したドラム式洗濯乾燥機。
【請求項２】
弁保持器の内端面の内周部の上側略半周部分に外槽方向に突出するリブを設け、このリブと弁体を密着するように構成した請求項１記載のドラム式洗濯乾燥機。
【請求項３】
弁体の外周近傍部の上側略半周部分に突起を設け、この突起と弁保持器の内端面を密着するように構成した請求項１記載のドラム式洗濯乾燥機。
【発明の詳細な説明】
【技術分野】
【０００１】
本発明は、略水平方向の回転軸を中心に回転自在に配設したドラム内で洗濯物を洗濯、すすぎ、脱水、乾燥するドラム式洗濯乾燥機に関するものである。
【背景技術】
【０００２】
従来、この種のドラム式洗濯乾燥機は図８、図９、図１０に示すように構成していた。以下、その構成について説明する。
【０００３】
図に示すように、回転ドラム１は、外周部に多数の通水孔２を全面に設け、外槽３内に回転自在に配設している。回転ドラム１の回転中心に回転軸４の一端を略水平方向に固定し、回転軸４の他端にドラムプーリー５を固定している。モータ６は、ベルト７によりドラムプーリー５と連結し、回転ドラム１を回転駆動する。
【０００４】
外槽３は、ボデー８よりばね体９で揺動可能に吊り下げ、防振ダンパー１０により脱水起動時の振動が低減され、定常脱水時の振動がボデー８に伝達されないように防振支持するとともに、脱水時の振動を低減するバランサー１１を設けている。略筒状のパッキング部材１２は、回転ドラム１の前面開口部に対応する外槽３の開口部とボデー８の前面開口部との間を連結するものである。ボデー８の前面開口部に窓１３を開閉自在に設けている。
【０００５】
洗剤を投入する洗剤ケース１４は、洗剤ケース１４から外槽３方向へは開き、逆方向へは閉じる弁体２２を備えた連結管１９により外槽３内と連通状態に連結されている。弁体２２は、弾性体により形成され上端を略筒状の弁保持器２４の内端面２５側に略垂直に係止されると共に、弁保持器２４の内端面２５に密着する平面部２３を有し、この平面部２３の上端は垂直方向より洗剤ケース１４側に下端は垂直方向より外槽３側に位置するように取り付けられたものであり、外槽３と洗剤ケース１４との流路を遮断するシール面である弁体２２の平面部２３と弁保持器２４の内端面２５とは通常は密着するように付勢されている。弁保持器２４は、連結管１９の略中央に位置し、外周と連結管１９の内周との気密をＯリング２６により保持している。
【０００６】
加熱装置１８は外槽３内の洗濯物を加熱乾燥するものである。制御装置（図示せず）は、モータ６、加熱装置１８などの動作を制御し、洗濯、すすぎ、脱水、乾燥などの一連の行程を逐次制御する。
【０００７】
上記構成において動作を説明すると、窓１３を開いて回転ドラム１内に洗濯物を投入し、洗剤ケース１４内に洗剤をいれて運転を開始すると、洗剤と水は、連結管１９を経て弁体２２を開けて外槽３内に流入する。洗濯行程では、回転ドラム１はモータ６によって低速（約５３ｒｐｍ）にて回転駆動され、回転ドラム１内の洗濯物は持ち上げられて水面上に落下される。こうして洗濯行程が進行する。すすぎ行程においても洗濯行程と同様の動作を行う。
【０００８】
脱水行程では、モータ６により回転ドラム１は高速（約１０００ｒｐｍ）で回転駆動され、洗濯物は遠心脱水される。このとき、脱水などの高速回転起動時に、外槽３の振動による外槽３内の空気の出入りが起こり、弁体２２のシール面を叩く音が発生するが、弁保持器２４の内端面２５に弁体２２を付勢する構成により、弁体２２の振動を緩和し、騒音を低減している。
【０００９】
乾燥行程では、回転ドラム１は洗濯行程と同様に低速で回転駆動され、回転ドラム１内の洗濯物は、持ち上げられて落下されながら加熱装置１８により加熱され外槽３内の温度が上昇し、乾燥していく。外槽３内の蒸気は連結管１９に配された弁体２２により封口され外部へは出ない（例えば、特許文献１参照）。
【００１０】
また、図１１に示すような構成の弁体および弁保持器を備えたドラム式洗濯乾燥機も提案されていた。このドラム式洗濯乾燥機では、弁体２２は、その下端部に弁体支持部２２ａ及びヒンジ部２２ｂを備え、ゴム又は軟質合成樹脂の弾性体により一体成形されている。弁体２２が弁体支持部２２ａを介して保持される弁保持器２４は硬質の合成樹脂により成形され、その下流側の内端面２５に弁体２２を対向させて配設してあり、下流側から蒸気圧あるいは風圧がかかると密着するように構成してある。すなわち、弁体２２は、重力により、内端面２５から常に離れる方向に付勢されており、外槽側より蒸気圧あるいは風圧がかからないかぎり、弁保持器２４の内端面２５から離れるように構成している。
【００１１】
図１１に示すように、弁保持器２４の内端面２５の下半分は垂直面に対し下向きの傾斜をなしている。すなわち上部が下流側に張り出すとともに、下部が上流側に引っ込む形になっている。一方、内端面２５の上半分は下半分に対し角度θだけ向きが変わり、ほぼ垂直面となっている。これにより内端面２５は、下流側に凸となった屈折面、すなわち非平面となっている。
【００１２】
弁保持器２４の内端面２５が上記の形状であるため、弁体２２が内端面２５に密着したとしても、弁体２２の上半分は、下流から蒸気圧あるいは風圧がかからないかぎり弁体２２自身の弾性によって内端面２５から離間している。そのため、重力による内端面２５から常に離れる方向への付勢と相俟って、洗剤や仕上剤の固化によって弁体２２が内端面２５に貼り付いてしまうということがない（例えば、特許文献２参照）。
【特許文献１】特開平１０−２７２２７７号公報
【特許文献２】特開２００４−３１３３１８号公報
【発明の開示】
【発明が解決しようとする課題】
【００１３】
しかしながら、このような従来の構成では、洗剤や仕上剤の固化によって弁体２２が内端面２５に貼り付いてしまうという課題と、洗濯行程時や脱水行程時に回転ドラム１等から発生する音が連結管１９を経て洗剤ケース１４から機外に漏れるという課題と、弁体２２の寿命も長くして長期に亘って安定した性能を維持するという課題とを、すべて解決することは困難であった。
【００１４】
すなわち、上記特許文献１に記載の構成では、弁体２２の平面部２３と弁保持器２４の内端面２５とが常に密着するように付勢されているため、液体洗剤、柔軟剤など、洗剤の原液が洗剤ケース１４より流れ出して弁体２２と弁保持器２４の接触面に付着した状態で長時間の予約運転を行うと、弁体２２と弁保持器２４の間で洗剤が固化し、弁体２２が開かなくなり、給水時に水が逆流して溢れ、洗濯乾燥機前面から水漏れするという可能性があった。
【００１５】
一方、上記特許文献２に記載の構成では、弁体２２は、重力により、内端面２５から常に離れる方向に付勢されており、外槽側より蒸気圧あるいは風圧がかからないかぎり、弁保持器２４の内端面２５から離れるように構成されているため、外槽側より蒸気圧あるいは風圧がほとんどかからない洗濯行程時や脱水行程時には、回転ドラム等から発生する音が機外に漏れるという課題を有していた。また、弁体２２が重力によって常時内端面２５から大きく離間しているため、閉じる際の動作ストロークが大きく、弁体支持部２２ａ及びヒンジ部２２ｂに繰り返し大きな力が作用し、弁体２２自体の寿命や弁体２２の支持安
定性に限界があった。
【００１６】
本発明は上記従来の課題を解決するもので、乾燥時の湿った空気の逆流を防止しつつも弁体が弁保持器に固着することを防止するとともに、洗濯行程時や脱水行程時に機外への音漏れを抑制でき、さらに弁体自体の寿命も長くすることができ、長期に亘る安定した性能と快適な使用性と高い信頼性を備えたドラム式洗濯乾燥機を提供することを目的としている。
【課題を解決するための手段】
【００１７】
上記目的を達成するために本発明は、略水平方向に回転軸を有する回転ドラムと、この回転ドラムを内包した外槽と、前記回転ドラムを回転させるモータと、回転ドラム内の洗濯物を加熱乾燥する加熱装置と、洗剤を投入する洗剤ケースと、前記外槽の内部と前記洗剤ケースとを連通する連結管と、前記連結管には前記洗剤ケースから前記外槽方向へは開き、逆方向へは閉じる弾性体により形成された弁体と前記弁体を保持する略筒状の弁保持器とを備え、前記弁体は、前記弁保持器の内端面側に常に閉じる方向に付勢されてその上端を係止され、前記弁保持器は、前記内端面の上部に前記弁体と密着する上部平面部を有し、この上部平面部の上端は下端よりも前記洗剤ケース側に位置させるとともに、前記内端面の下部に下部平面部を有し、この下部平面部は下端を上端よりも前記洗剤ケース側に位置させ、前記上部平面部から前記下部平面部へ向かってなだらかに連続する面とすることによって、前記弁体と前記弁保持器の前記下部平面部との間に隙間を形成するように構成したものである。
【００１８】
これにより、乾燥行程時の湿った空気の逆流を防止でき、洗剤ケースの結露を防ぐことができる。また、洗剤の原液が流れ出して弁体と弁保持器の接触面に付着した状態での長時間の予約運転時においても、弁体と弁保持器の間に設けられた隙間により、弁体と弁保持器が固着することがなくなり、給水時に水が逆流して洗濯乾燥機前面より水漏れする可能性を排除できるとともに、洗濯行程時や脱水行程時に機外への音漏れを抑制できる。さらに弁体自体の寿命も長くすることができる。
【発明の効果】
【００１９】
本発明のドラム式洗濯乾燥機によれば、特徴ある弁体と弁保持器の構成により、乾燥時の洗剤ケースの結露を防ぎつつ、弁体と弁保持器の固着による洗濯乾燥機前面よりの水漏れを防ぐことができるとともに、洗濯行程時や脱水行程時に機外への音漏れを抑制でき、さらに弁体自体の寿命も長くすることができる。
【発明を実施するための最良の形態】
【００２０】
本発明の請求項１に記載の発明は、略水平方向に回転軸を有する回転ドラムと、この回転ドラムを内包した外槽と、前記回転ドラムを回転させるモータと、回転ドラム内の洗濯物を加熱乾燥する加熱装置と、洗剤を投入する洗剤ケースと、前記外槽の内部と前記洗剤ケースとを連通する連結管と、前記連結管には前記洗剤ケースから前記外槽方向へは開き、逆方向へは閉じる弾性体により形成された弁体と前記弁体を保持する略筒状の弁保持器とを備え、前記弁体は、前記弁保持器の内端面側に常に閉じる方向に付勢されてその上端を係止され、前記弁保持器は、前記内端面の上部に前記弁体と密着する上部平面部を有し、この上部平面部の上端は下端よりも前記洗剤ケース側に位置させるとともに、前記内端面の下部に下部平面部を有し、この下部平面部は下端を上端よりも前記洗剤ケース側に位置させ、前記上部平面部から前記下部平面部へ向かってなだらかに連続する面とすることによって、前記弁体と前記弁保持器の前記下部平面部との間に隙間を形成するように構成したことにより、乾燥行程時の湿った空気の逆流を防止でき、洗剤ケースの結露を防ぐことができる。また、洗剤の原液が流れ出して弁体と弁保持器の接触面に付着した状態での長時間の予約運転時においても、弁体と弁保持器の間に設けられた隙間により、弁体と弁
保持器が固着することがなくなり、給水時に水が逆流して洗剤ケースより洗濯乾燥機前面へ水漏れする可能性を排除できる。また、弁体は弁保持器の内端面側に常に閉じる方向に付勢されて係止され、弁保持器の上部平面部に密着しているので、洗濯行程時や脱水行程時に機外への音漏れを抑制できる。さらに弁体自体の寿命も長くすることができる。
【００２１】
請求項２に記載の発明は、上記請求項１に記載の発明において、弁保持器の内端面の内周部の上側略半周部分に外槽方向に突出するリブを設け、このリブと弁体を密着するように構成したものであり、乾燥行程時の湿った空気の逆流による洗剤ケースの結露を防ぎつつ、弁体と弁保持器が固着することによる水漏れの可能性を排除できる。また、洗濯行程時や脱水行程時に機外への音漏れを抑制できる。さらに弁体自体の寿命も長くすることができる。
【００２２】
請求項３に記載の発明は、上記請求項１に記載の発明において、弁体の外周近傍部の上側略半周部分に突起を設け、この突起と弁保持器の内端面を密着するように構成したものであり、乾燥行程時の湿った空気の逆流による洗剤ケースの結露を防ぎつつ、弁体と弁保持器が固着することによる水漏れの可能性を排除できる。また、洗濯行程時や脱水行程時に機外への音漏れを抑制できる。さらに弁体自体の寿命も長くすることができる。
【００２３】
以下、本発明の実施の形態について、図面を参照しながら説明する。なお、従来例と同じ構成のものは同一符号を付して説明を省略する。また、この実施の形態によって本発明が限定されるものではない。
【００２４】
（実施の形態１）
図１、図２に示すように、本発明のドラム式洗濯乾燥機の全体的な構成は従来例のドラム式洗濯乾燥機と同様である。
【００２５】
本実施の形態において特徴ある構成は、図３、図４、図５に示す。図３に示すように、連結管１９は、一端を洗剤ケース１４とＯリング２０により水密に結合され、他端を外槽３内と水密、且つ振動吸収可能な蛇腹部２１を介して連通状態に連結し、洗剤ケース１４から外槽３方向へ下る傾斜を有している。
【００２６】
弁保持器２４は、中央部に投入された洗剤と水が通過する管路部を有する中空管状に形成し、管路部の周囲に弁体２２を保持する内端面２５を備えている。この弁保持器２４は連結管１９の略中央に位置し、外周と連結管１９の内周との気密をＯリング２６により保持している。
【００２７】
弁体２２は、弾性体により平面部２３を有して略円板状に形成され、洗剤ケース１４から外槽３方向へは開き、逆方向へは閉じるように変形可能な状態に、略筒状の弁保持器２４の内端面２５側に上端を固定されている。
【００２８】
図４に示すように、前記弁保持器２４の弁体２２に対向する内端面２５は上部平面部２５ａと下部平面部２５ｂを持ち、上部平面部２５ａの上端は下端よりも洗剤ケース１４側に位置するとともに、下部平面部２５ｂは上部平面部２５ａとは逆に下端が上端よりも洗剤ケース１４側に位置し、上部平面部２５ａから下部平面部２５ｂへ向かってはなだらかに連続する面を持つ。
【００２９】
弁体２２は、図５に示すように、ゴムや軟質合成樹脂等の弾性体により形成され、弁体本体２２ｃと上端に設けた弁体支持部２２ａとが略直角をなすようにヒンジ部２２ｂを介して一体に形成されている。そして、弁体支持部２２ａで略筒状の弁保持器２４の内端面２５側に略垂直に係止されると共に、弁保持器２４の上部平面部２５ａに密着する平面部
２３を有し、ヒンジ部２２ｂを弾性変形させることで、この平面部２３の上端は垂直方向より洗剤ケース１４側に下端は垂直方向より外槽３側に位置し傾斜するように取り付けられている。
【００３０】
ヒンジ部２２ｂを弾性変形させて弁保持器２４に弁体２２の上端が下端よりも洗剤ケース１４側に位置するように取り付けられることで、弁体２２はヒンジ部２２ｂの弾性復元力と弁体本体２２ｃの自重により弁保持器２４の上部平面部２５ａに通常は付勢し密着している。また上部平面部２５ａの上端は下端よりも洗剤ケース１４側に位置するとともに、下部平面部２５ｂは下端が上端よりも洗剤ケース１４側に位置させた構成により、弁体２２の平面部２３と弁保持器２４の下部平面部２５ｂとの対向部において弁体２２と弁保持器２４の間に隙間２７を設けている。
【００３１】
上記構成において動作、作用を説明すると、窓１３を開いて回転ドラム１内に洗濯物を投入し、洗剤ケース１４内に洗剤をいれて運転を開始すると、洗剤と水は、連結管１９を経て弁体２２を開けて外槽３内に流入する。この時、洗剤の入れ過ぎなどによって洗剤ケース１４より液体洗剤、柔軟剤など洗剤の原液が流れ出して弁体２２と弁保持器２４の接触面に付着することがあるが、その状態にて長時間の予約運転が行われる場合にも、弁体２２と弁保持器２４の下端部に設けられた隙間２７が弁体２２と弁保持器２４が固着するのを防止し、給水時に水が逆流して洗剤ケース１４より洗濯乾燥機前面へ水漏れする可能性を排除している。
【００３２】
また、洗剤投入時には弁保持器２４の上端部側よりも下端部側を洗剤が通過する可能性が高いので、弁保持器２４の下端部側に隙間２７を設けることで、弁体２２と弁保持器２４が固着することをさらに防止している。
【００３３】
また、洗濯行程では、回転ドラム１はモータ６によって低速（約５３ｒｐｍ）で回転駆動され、回転ドラム１内の洗濯物は持ち上げられて水面上に落下される。こうして洗濯行程が進行する。すすぎ行程においても洗濯行程と同様の動作を行う。
【００３４】
脱水行程では、回転ドラム１はモータ６により高速（約１０００ｒｐｍ）で回転駆動され、洗濯物は遠心脱水される。
【００３５】
これらの洗濯行程や脱水行程において、回転ドラム１やモータ６の回転音が機外に漏れ出すと不快なものであるが、本実施の形態では弁体２２が常に弁保持器２４側に付勢される構成としているので、これらの行程において弁体２２は弁保持器２４に密着して閉じており、機外への音漏れを抑制することができる。
【００３６】
乾燥行程では、回転ドラム１は洗濯行程と同様に低速で回転駆動され、回転ドラム１内の洗濯物は、持ち上げられて落下されながら、加熱装置１８により加熱され外槽３内の温度が上昇し、乾燥していく。このとき外槽３内は蒸気が発生し、連結管１９より洗剤ケース１４を経て外部へ流出しようとするが、連結管１９に設けられた弁体２２が乾燥の風の力によって弁保持器２４の内端面２５に密着することで外槽３内と洗剤ケース１４とを遮蔽するため、蒸気は、外槽３内から洗剤ケース１４への流出を阻止され、洗剤ケース１４から外部への蒸気流出が防止できる。
【００３７】
また、弁体２２は、弾性体により形成され、上端を略筒状の弁保持器２４の内端面２５側に係止され、且つ、弁保持器２４の上部平面部２５ａに密着する平面部２３を有し、この平面部２３の上端が下端より洗剤ケース１４側に位置するように取り付けられているため、外槽３と洗剤ケース１４との流路を遮断するシール面である弁体２２の平面部２３と弁保持器２４の上部平面部２５ａとは、弁体２２の自重と上端部と平面部２３の角度の差
により通常は密着するように付勢されている。これにより、脱水などの高速回転起動時に発生する外槽３の振動により外槽３内の空気の出入りが起こり、弁体２２のシール面である平面部２３と弁保持器２４の内端面２５を叩く音が発生する場合にも、弁保持器２４の内端面２５に弁体２２を付勢する構成が弁体２２の振動を緩和し、騒音を低減した弁体２２を提供できる。
【００３８】
さらに、弁体２２が常に弁保持器２４側に付勢され、通常は弁保持器２４に密着して閉じている構成としているので、弁体２２の動作時のストロークが小さく、ヒンジ部２２ｂに繰り返しかかる変形応力が小さく長寿命を実現することができるとともに、弁体支持部２２ａにかかる力も小さいので、長期に安定して弁体２２を弁保持器２４に保持することができる。
【００３９】
また、連結管１９は、洗剤ケース１４から外槽３方向へ下る傾斜を有しているため、連結管１９内の残水をなくすことができ、この連結管１９の残水からの蒸気の発生を防止でき、洗剤ケース１４から外部へ流出する蒸気による結露を防止できると共に、残水の凍結による連結管１９の封鎖がなくなり注水時の洗剤ケース１４からの溢水を防止でき、さらに、乾燥時に発生する蒸気の結露した水の溜まりが防止でき、乾燥終了後衣類を取り出すときに衣類を濡らす恐れがなくなる。
【００４０】
（実施の形態２）
本実施の形態が上記実施の形態１と異なる点は、弁保持器２４にさらなる工夫を施した点である。連結管１９、弁体２２等のその他の構成については上記実施の形態１と同様である。
【００４１】
図６に示すように、弁保持器２４は、内端面２５を上端が下端よりも洗剤ケース１４側に位置するように傾斜させた一平面で形成するとともに、内端面２５の内周部の上側略半周部分に、連結管１９内に設置した時に外槽３の方向に突出するリブ４０を持たせてある。前記リブ４０にはリブ上部平面部４０ａとリブ下部平面部４０ｂがあり、リブ上部平面部４０ａの上端は下端よりも洗剤ケース１４側に位置するとともに、リブ下部平面部４０ｂの下端をリブ上部平面部４０ａの上端より洗剤ケース１４側に位置させてリブ下部平面部４０ｂはリブ上部平面部４０ａよりも洗剤ケース１４側に位置させ、リブ上部平面部４０ａからリブ下部平面部４０ｂへ向かってはなだらかに連続する面を持つ。
【００４２】
弁体２２は、弁保持器２４に弁体２２の上端が下端よりも洗剤ケース１４側に位置するように取り付けられることで、弁体２２は弁保持器２４のリブ上部平面部４０ａに常に付勢し密着しており、また弁保持器２４のリブ下部平面部４０ｂが上部平面部４０ａよりも洗剤ケース１４側にある構成により、弁体２２の平面部２３と弁保持器２４のリブ下部平面部４０ｂおよびそれより下方部分との対向部において弁体２２と弁保持器２４の間に、実施の形態１の図３に示すと同様の隙間２７を設けている。
【００４３】
また、連結管１９に設けられた弁体２２は乾燥の風の力によって弁保持器２４のリブ４０、および内端面２５に密着する構成となっている。
【００４４】
上記構成において動作、作用を説明すると、弁保持器２４のリブ下部平面部４０ｂがリブ上部平面部４０ａよりも洗剤ケース１４側にある構成により、洗剤の入れ過ぎなどによって洗剤ケース１４より液体洗剤、柔軟剤など洗剤の原液が流れ出して弁体２２と弁保持器２４の接触面に付着した状態において長時間の予約運転が行われる場合にも、弁体２２と弁保持器２４の間の隙間２７が弁体２２と弁保持器２４が固着するのを防止し、給水時に水が逆流して洗剤ケース１４より洗濯乾燥機前面へ水漏れする可能性を排除している。
【００４５】
また、乾燥行程時、弁体２２が乾燥の風の力によって弁保持器２４のリブ４０、および内端面２５に密着する構成により、乾燥時の湿った空気が洗剤ケース１４に逆流するのを防止でき、洗剤ケース１４の結露を防ぐことができる。
【００４６】
また、洗剤投入時には弁保持器２４の上端部側よりも下端部側を洗剤が通過する可能性が高いので、弁保持器２４の下端部側に隙間２７を設けることで、弁体２２と弁保持器２４が固着することをさらに防止している。
【００４７】
また、弁体２２が常に弁保持器２４側に付勢される構成としているので、洗濯行程や脱水行程において弁体２２は弁保持器２４に密着して閉じており、機外への音漏れを抑制することができる。
【００４８】
さらに、弁体２２が常に弁保持器２４側に付勢され、弁保持器２４に密着して閉じている構成としているので、弁体２２の動作時のストロークが小さく、ヒンジ部２２ｂに繰り返しかかる変形応力が小さく長寿命を実現することができるとともに、弁体支持部２２ａにかかる力も小さいので、長期に安定して弁体２２を弁保持器２４に保持することができる。
【００４９】
（実施の形態３）
本実施の形態が上記実施の形態１と異なる点は、弁体２２にさらなる工夫を施した点である。連結管１９、弁保持器２４等のその他の構成については上記実施の形態１と同様である。
【００５０】
弁体２２は、弾性体により略円板状に形成され、前記弁体２２は洗剤ケース１４から外槽３方向へは開き、逆方向へは閉じるように変形可能な状態に、略筒状の弁保持器２４の内端面２５側に上端を固定されている。
【００５１】
図７に示すように、弁体２２は平面部２３の外周近傍部の上側略半周部分に板状の突起５０を持ち、突起５０には突起上部平面部５０ａと突起下部平面部５０ｂがあるとともに、突起下部平面部５０ｂは突起上部平面部５０ａよりも平面部２３側すなわち外槽３側に位置し、突起上部平面部５０ａから突起下部平面部５０ｂへ向かってはなだらかに連続する面を持つ。
【００５２】
弁体２２は、突起上部平面部５０ａの上端が下端よりも洗剤ケース１４側に位置するように取り付けられることで、弁体２２の突起上部平面部５０ａは弁保持器２４の内端面２５に通常は付勢し密着しており、また弁体２２の突起下部平面部５０ｂが突起上部平面部５０ａよりも平面部２３側にある構成により、弁体２２と弁保持器２４の間に、実施の形態１の図３に示すと同様の隙間２７を設けている。
【００５３】
また、乾燥の風の力によって弁保持器２４の内端面２５と弁体２２の平面部２３および突起５０が密着する構成となっている。
【００５４】
上記構成において動作、作用を説明すると、弁体２２の突起下部平面部５０ｂが突起上部平面部５０ａよりも平面部２３側にある構成により、洗剤の入れ過ぎなどによって洗剤ケース１４より液体洗剤、柔軟剤など洗剤の原液が流れ出して弁体２２と弁保持器２４の接触面に付着した状態において長時間の予約運転が行われる場合にも、弁体２２と弁保持器２４の間の隙間２７が弁体２２と弁保持器２４が固着するのを防止し、給水時に水が逆流して洗剤ケース１４より洗濯乾燥機前面へ水漏れする可能性を排除している。
【００５５】
また、乾燥行程時、乾燥の風の力によって弁保持器２４の内端面２５と弁体２２の平面
部２３および突起５０が密着する構成により、乾燥時の湿った空気が洗剤ケース１４に逆流するのを防止でき、洗剤ケース１４の結露を防ぐことができる。
【００５６】
また、洗剤投入時には弁保持器２４の上端部側よりも下端部側を洗剤が通過する可能性が高いので、弁保持器２４の下端部側に隙間２７を設けることで、弁体２２と弁保持器２４が固着することをさらに防止している。
【００５７】
また、弁体２２が常に弁保持器２４側に付勢される構成としているので、洗濯行程や脱水行程において弁体２２は弁保持器２４に密着して閉じており、機外への音漏れを抑制することができる。
【００５８】
さらに、弁体２２が常に弁保持器２４側に付勢され、弁保持器２４に密着して閉じている構成としているので、弁体２２の動作時のストロークが小さく、ヒンジ部２２ｂに繰り返しかかる変形応力が小さく長寿命を実現することができるとともに、弁体支持部２２ａにかかる力も小さいので、長期に安定して弁体２２を弁保持器２４に保持することができる。
【産業上の利用可能性】
【００５９】
以上のように、本発明にかかるドラム式洗濯乾燥機は、乾燥時の湿った空気の逆流を防止しつつも弁体が弁保持器に固着することを防止するとともに、洗濯行程時や脱水行程時に機外への音漏れを抑制でき、さらに弁体自体の寿命も長くすることができるので、機外から外槽内に洗剤を投入する洗剤ケースを備えたドラム式洗濯乾燥機等として有用である。
【図面の簡単な説明】
【００６０】
【図１】本発明の実施の形態１のドラム式洗濯乾燥機の背面から見た内部構成図
【図２】同ドラム式洗濯乾燥機の側面断面図
【図３】同ドラム式洗濯乾燥機の連結管周辺の拡大断面図
【図４】（ａ）同ドラム式洗濯乾燥機の弁保持器の正面図（ｂ）同ドラム式洗濯乾燥機の弁保持器の断面図
【図５】（ａ）同ドラム式洗濯乾燥機の弁体の斜視図（ｂ）同ドラム式洗濯乾燥機の弁体の断面図
【図６】（ａ）本発明の実施の形態２のドラム式洗濯乾燥機の弁保持器の正面図（ｂ）同ドラム式洗濯乾燥機の弁保持器の断面図
【図７】（ａ）本発明の実施の形態３のドラム式洗濯乾燥機の弁体の斜視図（ｂ）同ドラム式洗濯乾燥機の弁体の断面図
【図８】従来のドラム式洗濯乾燥機の背面から見た内部構成図
【図９】同ドラム式洗濯乾燥機の側面断面図
【図１０】同ドラム式洗濯乾燥機の連結管周辺の拡大断面図
【図１１】従来の他のドラム式洗濯乾燥機の弁体および弁保持器周辺の断面図
【符号の説明】
【００６１】
１  回転ドラム
３  外槽
４  回転軸
６  モータ
１４  洗剤ケース
１８  加熱装置
１９  連結管
２２  弁体
２４  弁保持器
２７  隙間
【図１】
2010188033.tif 000003
【図２】
2010188033.tif 000004
【図３】
2010188033.tif 000005
【図４】
2010188033.tif 000006
【図５】
2010188033.tif 000007
【図６】
2010188033.tif 000008
【図７】
2010188033.tif 000009
【図８】
2010188033.tif 000010
【図９】
2010188033.tif 000011
【図１０】
2010188033.tif 000012
【図１１】
2010188033.tif 000013